(57)【要約】【課題】  インクジェットプリンターを用いて表裏両面に捺染することのできる手拭いの捺染方法、及び、その捺染方法により捺染されたデザイン性に優れる手拭いを提供する。【解決手段】  インクジェットプリンター２により表裏両面を捺染する手拭いの捺染方法において、手拭いの表面全体に糊状の前処理剤を塗布する前処理工程と、該前処理工程の後に、裏面に表面よりも薄い色でパターン柄を捺染する裏面捺染工程と、該裏面捺染工程の後に、表面に一部に空白部分を残しながら裏面よりも濃い色で捺染する表面捺染工程とを含む。【選択図】  図４
2016040425.tif 000002
【特許請求の範囲】
【請求項１】
インクジェットプリンターにより表裏両面を捺染する手拭いの捺染方法において、
手拭いの表面全体に糊状の前処理剤を塗布する前処理工程と、
該前処理工程の後に、裏面に表面よりも薄い色でパターン柄を捺染する裏面捺染工程と、
該裏面捺染工程の後に、表面に一部に空白部分を残しながら裏面よりも濃い色で捺染する表面捺染工程と、
を含む手拭いの捺染方法。
【請求項２】
請求項１に記載の捺染方法によって捺染された手拭い。 
【発明の詳細な説明】
【技術分野】
【０００１】
本発明は、手拭いの捺染方法及び手拭いに関し、詳しくは、表裏両面に捺染する手拭いの捺染方法及びその捺染方法により捺染された手拭いに関する。
【背景技術】
【０００２】
従来、手拭いのような布帛には職人による手捺染が行われてきたが、多品種少量生産やファッションの多様化に対応するために、インクジェットプリンターによる捺染が用いられるようになっている。また、デザイン性の高い手拭いとして、温度で表面の模様表示が変化するような手拭いも提案されている（例えば、特許文献１参照。）。
【先行技術文献】
【特許文献】
【０００３】
【特許文献１】実用新案登録第３１０９５３９号公報
【発明の概要】
【発明が解決しようとする課題】
【０００４】
しかしながら、特許文献１のように表面のみに捺染する手拭いがほとんどであり、職人による手捺染でもインクジェットプリンターによる捺染でも、表裏両面に捺染することは困難であった。特に、インクジェットプリンターによる捺染の場合は、インクが生地にしっかりのるようにするために糊状の前処理剤を塗布する必要があるが、表裏両面に前処理剤を塗布してしまうと、生地全体が糊でいわゆるバリバリの状態となってしまうため、インクジェットプリンターで表裏両面をプリントすることができなかった。さらに、染色された面ではインクジェットプリンターのベルトコンベアに貼り付かなくなってしまうため、やはり両面をプリントすることができなかった。
【０００５】
そこで本発明は、インクジェットプリンターを用いて表裏両面に捺染することのできる手拭いの捺染方法、及び、その捺染方法により捺染されたデザイン性に優れる手拭いを提供することを目的としている。
【課題を解決するための手段】
【０００６】
上記目的を達成するため、本発明の手拭いの捺染方法は、インクジェットプリンターにより表裏両面を捺染する手拭いの捺染方法において、手拭いの表面全体に糊状の前処理剤を塗布する前処理工程と、該前処理工程の後に、裏面に表面よりも薄い色でパターン柄を捺染する裏面捺染工程と、該裏面捺染工程の後に、表面に一部に空白部分を残しながら裏面よりも濃い色で捺染する表面捺染工程と、を含むことを特徴としている。
【０００７】
また、本発明の手拭いは、上記捺染方法によって捺染されたことを特徴としている。
【発明の効果】
【０００８】
本発明の手拭いの捺染方法によれば、糊状の前処理剤を表面にのみ塗布していることからインクジェットプリンターでの捺染を可能にするとともに、裏面に薄い色でパターン柄を先に施すことで、裏面側に白地部分が多く残り、表面を捺染する際に裏面がインクジェットプリンターのベルトコンベアに貼り付くことが可能となり、結果として、表裏両面への捺染が可能となる。
【０００９】
また、本発明の手拭いによれば、表面の空白部分から裏面のパターン柄が透けて見えるため、表面と裏面の模様が重なる新たなモチーフとして認識することができ、デザイン性の向上を図ることができる。
【図面の簡単な説明】
【００１０】
【図１】本発明の手拭いの捺染方法を示す説明図である。
【図２】本発明の一形態例を示す手拭いの裏面の捺染状態を示す説明図である。
【図３】同じく手拭いの表面の捺染状態を示す説明図である。
【図４】同じく手拭いを透かして見た状態を示す説明図である。
【発明を実施するための形態】
【００１１】
図１乃至図４は本発明の手拭いの捺染方法及び手拭いの一形態例を示すものである。本発明の手拭いの捺染方法において、まず、手拭いとなる布帛原反１に対して、インクジェットのインクがのり易くするために糊状の前処理剤を塗布する（本発明の前処理工程）。前処理剤は、カルボキシルメチル化澱粉、グアガム等の水溶性高分子を主成分とする公知の水性組成物等を用いることができる。
【００１２】
前処理剤の塗布には、公知の前処理装置が使用され、手拭いの表面となる面の幅方向及び長手方向の全体にわたり均一な厚みに塗布する。この前処理剤を塗布する際に、片面のみを捺染する場合よりも多い量を表面に塗布する。このように塗布することで、表面側から裏面側にも前処理剤が浸透し、比較的色が薄く、かつ、空白部分もあるパターン柄の裏面側へのプリントが可能となる。
【００１３】
前処理剤の塗布後、布帛原反１を十分に乾燥させたら、布帛原反１の表面側をインクジェットプリンター２のベルトコンベア３に貼り付け、裏面側から捺染する（本発明の裏面捺染工程）。裏面には、表面よりも薄い色でパターン柄のプリントを施し、例えば、本形態例では、図２に示すように、「ごはんつぶ」をモチーフにしたパターン柄としている。
【００１４】
裏面の捺染後に、布帛原反１を裏返し、裏面側をインクジェットプリンター２のベルトコンベア３に貼り付け、表面側を捺染する（本発明の表面捺染工程）。裏面側に施されたのが、白地部分が多くなるパターン柄であるため、ベルトコンベア３に貼り付けることが可能となる。表面には、裏面よりも濃い色でプリントし、一部に空白部分を残すようなモチーフとする。例えば、本形態例では、図３に示すように、「おにぎり」の形状をモチーフにした部分を空白部分とし、その周囲を濃い色で染色している。
【００１５】
その後、捺染された布帛原反１を適宜な大きさに裁断する等して、所定の後処理をすることで手拭いとなる。このような手拭いの表面と裏面とを透かしてみると、図４に示されるように、表面の「おにぎり」柄に裏面の「ごはんつぶ」のパターン側が重なって見える状態となる。
【００１６】
このように本発明の捺染方法及びその捺染方法により捺染された手拭いによれば、表裏両面に捺染することができ、表面と裏面の模様が重なる新たなモチーフとして認識することが可能なデザイン性の優れた手拭いを提供することができる。
【００１７】
デザインのモチーフは、「おにぎり」「ごはんつぶ」に限らず、各種のデザインを採用することができる。モチーフにあわせて、インクジェットプリンター２に出力する作画ソフト上でのインク濃度や、インクジェットプリンター２のヘッド４の稼働速度、ベルトコンベア３の移動速度等を表面・裏面でそれぞれ適宜調整すればよい。
【符号の説明】
【００１８】
１…布帛原反、２…インクジェットプリンター、３…ベルトコンベア、４…ヘッド
【図１】
2016040425.tif 000003
【図２】
2016040425.tif 000004
【図３】
2016040425.tif 000005
【図４】
2016040425.tif 000006